(57)【要約】【課題】必要な照度及び特性を確保できると共に、特性の変更も容易に行える照明装置を提供する。【解決手段】照明装置１は、ケーシング２内に収容した基板上に、複数のＬＥＤ３，３・・を、互いに直交する上下及び左右の２方向において４×５の２０個配設している。基板の前方には、各ＬＥＤ３に対応したすり鉢状の反射部５，５・・をそれぞれ凹設した反射板４が備えられて、各反射部５の前面において、中央部の６箇所のＬＥＤ３に対応した反射部５には、集光レンズ６，６・・がそれぞれ着脱可能に取り付けられ、その外周部の１４箇所のＬＥＤ３に対応した反射部５には、拡散レンズ７，７・・がそれぞれ着脱可能に取り付けられている。【選択図】図１
2013065460.tif 000002
【特許請求の範囲】
【請求項１】
複数の光源を配列してなる照明装置であって、
一又は複数の前記光源ごとにレンズを設けて、前記レンズの種類の選択により、必要な特性を付与可能としたことを特徴とする照明装置。
【請求項２】
前記レンズの一部を集光レンズ、残りを拡散レンズとして、集光機能と拡散機能とを同時に付与したことを特徴とする請求項１に記載の照明装置。
【発明の詳細な説明】
【技術分野】
【０００１】
本発明は、工作機械の内部等の照明に用いられる照明装置に関する。
【背景技術】
【０００２】
例えば工作機械においては、内部全体（拡散）の照明装置として蛍光灯が用いられ、加工物（集光）の照明装置（いわゆるスポットライト）としてハロゲンランプやＬＥＤランプが用いられている。特にＬＥＤランプでは、レンズが合わせて用いられることがあり、例えば特許文献１には、ＬＥＤを覆うグローブの中央に集光用のレンズを、外周に拡散用のレンズを有する電球形ランプの発明が記載されている。また、特許文献２には、指向性を有する複数のＬＥＤを配置すると共に、光を拡散させるカバーで覆うことで広範囲を照明可能とする一方、カバーの一部に開口又は集光用のレンズを設けて集光性のある光を照射し、通信制御に用いる照明装置兼通信制御装置の発明が記載されている。
【先行技術文献】
【特許文献】
【０００３】
【特許文献１】特開２００８−２５１５１２号公報
【特許文献２】特開２００９−９８０９号公報
【発明の概要】
【発明が解決しようとする課題】
【０００４】
ところで工作機械においては、各国の規格で所定以上の照度が定められているが、サイズが大きい工作機械では１つの照明装置で規格を満たすことができず、前述のように内部全体の照明装置と加工物の照明装置との２つ以上の照明装置を取り付けているのが現状である。特許文献１，２のような照明装置の採用も考えられるが、特許文献１の照明装置では、集光用と拡散用とのレンズが一体となっているため、内部全体を照明しつつ所定の箇所にうまく集光させることは困難で、工作機械のようなサイズの大きい対象の照明としては不適当である。また、特許文献２の照明装置も、集光箇所を変更するためにはカバー全体を取り替える必要があり、対象ごとにカバーを用意することになるため、これも集光機能等の必要な特性が異なる工作機械等には採用できなかった。
【０００５】
そこで、本発明は、工作機械等のサイズの大きい照明対象でも必要な照度及び集光機能等の特性を確保できると共に、特性の変更も容易に行える照明装置を提供することを目的としたものである。
【課題を解決するための手段】
【０００６】
上記目的を達成するために、請求項１に記載の発明は、複数の光源を配列してなる照明装置であって、一又は複数の光源ごとにレンズを設けて、レンズの種類の選択により、必要な特性を付与可能としたことを特徴とするものである。
請求項２に記載の発明は、請求項１の構成において、レンズの一部を集光レンズ、残りを拡散レンズとして、集光機能と拡散機能とを同時に付与したことを特徴とするものである。
【発明の効果】
【０００７】
請求項１に記載の発明によれば、工作機械等のサイズの大きい照明対象でも集光機能等の必要な特性を簡単に付与できると共に、特性の変更もレンズの交換によって容易に行える。また、複数の光源を用いているので、必要な照度を確保することもできる。
請求項２に記載の発明によれば、請求項１の効果に加えて、集光機能と拡散機能とを同時に具備でき、特に工作機械の内部照明に好適な照明装置が得られる。
【図面の簡単な説明】
【０００８】
【図１】照明装置の正面図である。
【図２】レンズを交換した照明装置の正面図である。
【図３】変更例の照明装置の正面図である。
【図４】変更例の照明装置の正面図である。
【発明を実施するための形態】
【０００９】
以下、本発明の実施の形態を図面に基づいて説明する。
図１は、照明装置の一例を示す正面図で、照明装置１は、ケーシング２内に図示しない基板を収容して、基板上に光源としての複数のＬＥＤ３，３・・を正面に向けて配設し、外部からの電源の供給によってＬＥＤ３，３・・を発光可能としている。このＬＥＤ３は、ここでは互いに直交する上下及び左右の２方向において、上下方向を４箇所、左右方向を５箇所としてそれぞれ所定間隔をおいて２０個配列したもので、基板の前方には、各ＬＥＤ３に対応したすり鉢状の反射部５，５・・をそれぞれ凹設した反射板４が備えられている。各ＬＥＤ３は、反射部５の底部中央に穿設された図示しない透孔を介して反射部５内に露出している。
【００１０】
そして、各反射部５の前面には、レンズがそれぞれ取り付けられている。ここでは、中央部の６箇所（上下２箇所、左右３箇所）のＬＥＤ３，３・・に対応した反射部５においては、集光レンズ６，６・・がそれぞれ取り付けられ、その外周部の１４箇所のＬＥＤ３，３・・に対応した反射部５においては、拡散レンズ７，７・・がそれぞれ取り付けられている。図１では区別するために中央部の集光レンズ６，６・・にハッチングを付している。また、各レンズ６，７の取り付けは、レンズの外周に設けた突起を反射部５の開口内縁に設けた透孔又は凹部に係止させたりする周知の構造で可能となっている。
【００１１】
従って、この照明装置１においては、中央部のＬＥＤ３は集光レンズ６によって集光機能が、外周部のＬＥＤ３は拡散レンズ７によって拡散機能がそれぞれ具備されることになり、例えば工作機械に用いた場合は、中央部のＬＥＤ３からの集光でワークの照明が可能となる一方、外周部のＬＥＤ３からの光の拡散で内部全体の照明が可能となる。
また、集光レンズ６と拡散レンズ７とは、反射部５に対して着脱可能であるので、集光レンズ６と拡散レンズ７との位置を変更することで、集光機能を有する部分と拡散機能を有する部分との位置や範囲を容易に変更できる。図２はその例を示すもので、ここでは左右両側で上下方向の中央に位置する２×２の４箇所の反射部５に集光レンズ６を、その他の反射部５に拡散レンズ７をそれぞれ装着している。これにより、集光機能を有する部分が左右両側に位置することになる。
【００１２】
このように、上記形態の照明装置１によれば、一又は複数のＬＥＤ３ごとに集光レンズ６又は拡散レンズ７を設けて、レンズの種類の選択により、必要な特性を付与可能としたことで、工作機械のようなサイズの大きい照明対象でも集光機能等の必要な特性を簡単に付与できる。
【００１３】
また、前述した取付方法のようにレンズを着脱可能とすれば、特性の変更もレンズの交換によって容易に行える。さらに、複数のＬＥＤ３を用いているので、必要な照度を確保することもできる。
特にここでは、レンズの一部を集光レンズ６、残りを拡散レンズ７として、集光機能と拡散機能とを同時に付与しているので、工作機械の内部照明に好適な照明装置が得られる。
【００１４】
なお、ＬＥＤの数や配置形態は上記形態に限定するものではなく、適宜変更可能である。例えば図３は、ＬＥＤ３，３・・を直線状に８箇所配置した照明装置１Ａを示すもので、ここでは中央の４箇所の反射部５に集光レンズ６を、左右２箇所ずつの反射部５に拡散レンズ７をそれぞれ嵌着している。勿論この場合も集光レンズ６と拡散レンズ７との配置は変更できる。
【００１５】
また、各反射部にそれぞれ１つの集光レンズ又は拡散レンズを取り付ける場合に限らず、複数の反射部ごとに一体化したレンズを用いることもできる。図４はその一例で、この照明装置１Ｂでは、反射部５，５の間隔に合わせた一対の集光レンズ６，６を備えたレンズ板８を用いており、このレンズ板８を所定の反射部５，５の位置に合わせて取り付けることで、２つのＬＥＤ３，３に集光機能を付与することができる。ここでは二枚のレンズ板８，８を用いているが、一枚のみでもよいし、長手方向にスライド可能として集光機能を付与するＬＥＤ３を変更可能としてもよい。勿論このレンズ板は一対の集光レンズを備えるものに限らず、３つ以上の集光レンズを備えるものでもよいし、図１のようなＬＥＤの配置形態であれば、一方向でなく二方向に連なる複数の集光レンズを備えるレンズ板であってもよい。
【００１６】
その他、光源としてはＬＥＤに限らず、白熱灯や蛍光灯等を用いることもできる。光源の配列も、一方向や二方向の直線上配列の他、複数の同心円周上に配列することができる。勿論平面上の配列に限らず、曲面状に配列しても差し支えない。
また、レンズの選択も、要求される特性によっては、図１〜４において集光レンズと拡散レンズとを逆にしたり、全ての光源に集光レンズを取り付けたり、逆に全ての光源に拡散レンズを取り付けたりすることも可能である。さらに、集光レンズと拡散レンズとの選択に限らず、例えば斜光レンズを取り付けて一部の光源の光を他の光源と異なる方向に向けるようなことも考えられる。
【符号の説明】
【００１７】
１，１Ａ，１Ｂ・・照明装置、２・・ケーシング、３・・ＬＥＤ、４・・反射板、５・・反射部、６・・集光レンズ、７・・拡散レンズ、８・・レンズ板。
【図１】
2013065460.tif 000003
【図２】
2013065460.tif 000004
【図３】
2013065460.tif 000005
【図４】
2013065460.tif 000006